【手続補正書】
【提出日】平成18年6月26日(2006.6.26)
【手続補正１】
【補正対象書類名】明細書
【補正対象項目名】特許請求の範囲
【補正方法】変更
【補正の内容】
【特許請求の範囲】
【請求項１】
データレシーバ、テレビジョン番組データを記憶するメモリ、電子番組ガイドジェネレータ、マイクロプロセッサ、及びテレビジョン番組並びに電子番組ガイドを表示するためのディスプレイモニタを備えた少なくとも１つのユーザ端末に、テレビジョン番組データを断続的にダウンロードする方法であって、
前記データレシーバの電源を通常どおり切る段階と、
前記テレビジョン番組データを後で受信する時間を示す情報を含む命令パケットを受信するために、前記データレシーバの電源を自動的に入れる段階と、
前記命令パケットからの情報を前記メモリに記憶する段階と、
前記テレビジョン番組データを後で受信するために前記データレシーバを制御する段階と、
前記メモリに前記テレビジョン番組データを記憶する段階と、
ユーザコマンドに応答して、前記メモリから前記電子番組ガイドジェネレータにテレビジョン番組データを送信する段階と、
電子番組ガイドを表すビデオ駆動信号を生成するように前記電子番組ガイドジェネレータを制御する段階と、及び
前記電子番組ガイドを表示するために、前記電子番組ガイドジェネレータを前記ディスプレイモニタと結合する段階と、を有することを特徴とする方法。
【請求項２】
請求項１に記載の方法であって、
前記命令パケットを受信した後に前記データレシーバの電源を自動的に切る段階と、
前記時間に前記テレビジョン番組データを受信する前に前記データレシーバの電源を自動的に入れる段階と、
前記時間に前記テレビジョン番組データを受信した後に、前記データレシーバの電源を自動的に切る段階と、を有することを特徴とする方法。
【請求項３】
請求項１に記載の方法であって、
前記命令パケットと前記テレビジョン番組データのうち少なくとも１つと関連したフィルタパケットであって、少なくとも１つのユーザ端末の少なくとも１つの特徴を指定するフィルタ情報を含むフィルタパケットをさらに受信するように、前記データレシーバを制御する段階と、
前記フィルタ情報が前記ユーザ端末とマッチした時に前記命令パケットと関連する情報と前記テレビジョン番組データのうち少なくとも１つを前記メモリに記憶する段階と、をさらに有することを特徴とする方法。
【請求項４】
請求項３に記載の方法であって、
前記少なくとも１つの特徴は、前記ユーザ端末のソフトウェアバージョン、前記ユーザ端末の郵便番号、前記ユーザ端末を使用する視聴者の関心領域のうちの少なくとも１つを含むことを特徴とする方法。
【請求項５】
請求項１に記載の方法であって、
前記命令パケットと前記テレビジョン番組データのうち少なくとも１つは、デジタルデータストリームと、テレビジョン信号が前記ユーザ端末に供給されるテレビジョン信号入力源とは別のデータリンクと、垂直帰線期間と、前記命令パケットまたは前記テレビジョン番組データが直接対応する特定のテレビジョンチャンネルと関連するテレビジョン信号とのうちの少なくとも１つで受信されることを特徴とする方法。
【請求項６】
請求項１に記載の方法であって、
前記テレビジョン番組データの前記ユーザ端末にまだ記憶されていない一部だけを前記メモリに記憶することを特徴とする方法。
【請求項７】
請求項１に記載の方法であって、
前記の情報を有する前記命令パケットを後で第２の時間に受信するように前記ユーザ端末に命令する第２の時間情報を含む第２の命令パケットを受信するために、前記データレシーバの電源を自動的に入れる段階をさらに有することを特徴とする方法。
【請求項８】
請求項１に記載の方法であって、
前記データレシーバの電源がすでに入っていて、前記テレビジョン番組データと関連する前記チャンネル以外のチャンネルと同調している時は、前記データレシーバが前記命令パケットと前記テレビジョン番組データのうち少なくとも１つを受信しないようにする段階と、
前記データレシーバが前記命令パケットと前記テレビジョン番組データのうち少なくとも１つを受信しないようにするのに応じて、カウンタ値を増やす段階と、
前記カウンタ値が所定数に達した時に前記ディスプレイモニタ上に警告メッセージが表示されるようにする段階と、をさらに有することを特徴とする方法。
【請求項９】
請求項１に記載の方法であって、
グローバルクロック時間を含む時間パケットを受信するように前記データレシーバを制御する段階と、
前記ユーザ端末のクロックを前記グローバルクロック時間に同期させる段階と、をさらに有することを特徴とする方法。
【請求項１０】
請求項１に記載の方法であって、
前記テレビジョン番組データは、少なくとも１つのテレビジョン番組のチャンネル、時間、日付、長さ、及び内容情報を含むことを特徴とする方法。
【請求項１１】
請求項１に記載の方法であって、
所定時間に前記命令パケットを受信するために前記データレシーバの電源を自動的に入れる段階をさらに有することを特徴とする方法。
【請求項１２】
請求項１に記載の方法であって、
前記命令パケットを受信するために前記命令パケットが送信される時間の長さに対応第２の時間より長い第１の時間の間に、前記データレシーバの電源を自動的かつ断続的に入れる段階をさらに有し、
前記データレシーバの電源を入れる間の時間の長さは、初期値に設定され、前記命令パケットが受信されるまで徐々に短くされ、その後前記初期値に再設定されることを特徴とする方法。
【請求項１３】
少なくとも１つのユーザ端末にテレビジョン番組データを断続的にダウンロードするシステムであって、
通常は電源を切ってあるデータレシーバと、
メモリと、
電子番組ガイドジェネレータと、
ディスプレイモニタと、
前記データレシーバ、前記メモリ、前記電子番組ガイドジェネレータ、及び前記ディスプレイモニタと結合したマイクロプロセッサと、を有し、
前記マイクロプロセッサは、
前記テレビジョン番組データを後で受信する時間を示す情報を含む命令パケットを受信するために、前記データレシーバの電源を自動的に入れ；
前記命令パケットからの情報を前記メモリに記憶し；
前記テレビジョン番組データを後で受信するために前記データレシーバを制御し、
前記メモリに前記テレビジョン番組データを記憶し；
ユーザコマンドに応答して、前記メモリから前記電子番組ガイドジェネレータにテレビジョン番組データを送信し、
前記ディスプレイモニタに表示するために前記テレビジョン番組データに基づいて電子番組ガイドを表示するように、前記電子番組ガイドジェネレータを制御するように動作することを特徴とするシステム。
【請求項１４】
請求項１３に記載のシステムであって、前記マイクロプロセッサは、
前記命令パケットを受信した後に前記データレシーバの電源を自動的に切り、
前記時間に前記テレビジョン番組データを受信する前に前記データレシーバの電源を自動的に入れ、
前記時間に前記テレビジョン番組データを受信した後に、前記データレシーバの電源を自動的に切るようにさらに動作することを特徴とするシステム。
【請求項１５】
請求項１３に記載のシステムであって、前記マイクロプロセッサは、
前記命令パケットと前記テレビジョン番組データのうち少なくとも１つと関連したフィルタパケットであって、少なくとも１つのユーザ端末の少なくとも１つの特徴を指定するフィルタ情報を含むフィルタパケットをさらに受信するように、前記データレシーバを制御し、
前記フィルタ情報が前記ユーザ端末とマッチした時に前記命令パケットと関連する情報と前記テレビジョン番組データのうち少なくとも１つを前記メモリに記憶させるようにさらに動作することを特徴とするシステム。
【請求項１６】
請求項１５に記載のシステムであって、
前記少なくとも１つの特徴は、前記ユーザ端末のソフトウェアバージョン、前記ユーザ端末の郵便番号、前記ユーザ端末を使用する視聴者の関心領域のうちの少なくとも１つを含むことを特徴とするシステム。
【請求項１７】
請求項１３に記載のシステムであって、
前記命令パケットと前記テレビジョン番組データのうち少なくとも１つは、デジタルデータストリームと、テレビジョン信号が前記ユーザ端末に供給されるテレビジョン信号入力源とは別のデータリンクと、垂直帰線期間と、前記命令パケットまたは前記テレビジョン番組データが直接対応する特定のテレビジョンチャンネルと関連するテレビジョン信号とのうちの少なくとも１つで受信されることを特徴とするシステム。
【請求項１８】
請求項１３に記載のシステムであって、
前記テレビジョン番組データの前記ユーザ端末にまだ記憶されていない一部だけを前記メモリに記憶することを特徴とするシステム。
【請求項１９】
請求項１３に記載のシステムであって、前記マイクロプロセッサは、
前記の情報を有する前記命令パケットを後で第２の時間に受信するように前記ユーザ端末に命令する第２の時間情報を含む第２の命令パケットを受信するために、前記データレシーバの電源を自動的に入れるように動作することを特徴とするシステム。
【請求項２０】
請求項１３に記載のシステムであって、前記マイクロプロセッサは、
前記データレシーバの電源がすでに入っていて、前記テレビジョン番組データと関連する前記チャンネル以外のチャンネルと同調している時は、前記データレシーバが前記命令パケットと前記テレビジョン番組データのうち少なくとも１つを受信しないようにし、
前記データレシーバが前記命令パケットと前記テレビジョン番組データのうち少なくとも１つを受信しないようにするのに応じて、カウンタ値を増やし、
前記カウンタ値が所定数に達した時に前記ディスプレイモニタ上に警告メッセージが表示されるようにするようにさらに動作することを特徴とするシステム。
【請求項２１】
請求項１３に記載のシステムであって、前記マイクロプロセッサは、
グローバルクロック時間を含む時間パケットを受信するように前記データレシーバを制御し、
前記ユーザ端末のクロックを前記グローバルクロック時間に同期させるようにさらに動作することを特徴とするシステム。
【請求項２２】
請求項１４に記載のシステムであって、
前記テレビジョン番組データは、少なくとも１つのテレビジョン番組のチャンネル、時間、日付、長さ、及び内容情報を含むことを特徴とするシステム。
【請求項２３】
請求項１３に記載のシステムであって、前記マイクロプロセッサは、
所定時間に前記命令パケットを受信するために前記データレシーバの電源を自動的に入れるようにさらに動作することを特徴とするシステム。
【請求項２４】
請求項１３に記載のシステムであって、前記マイクロプロセッサは、
前記命令パケットを受信するために前記命令パケットが送信される時間の長さに対応第２の時間より長い第１の時間の間に、前記データレシーバの電源を自動的かつ断続的に入れるようにさらに動作し、
前記データレシーバの電源を入れる間の時間の長さは、初期値に設定され、前記命令パケットが受信されるまで徐々に短くされ、その後前記初期値に再設定されることを特徴とするシステム。